(57)【特許請求の範囲】
【請求項１】
底面と外周面とが接続されてなる缶容器において、前記外周面は金属から構成され、前記底面は１００％金属以外の可撓性材質から構成され、
前記底面の縁部には下向きに屈曲した突起部が形成され、該突起部は、該突起部を被包するように内側に巻き込んだ前記外周面の底面側端部にかしめて連結され、
前記底面には所定形状の薄肉部または切り欠き部が形成されてなることを特徴とする缶容器。
【発明の詳細な説明】
【０００１】
【発明の属する技術分野】
本発明は缶容器に係り、特に折り畳むことのできる缶容器に関する。
【０００２】
【従来の技術】
従来から缶容器は、側面（外周面）と底面（或いは天面）は共に金属から構成されている。これは、他の素材例えば紙やガラス等で作成した容器と異なり、丈夫で、直接の積み重ねに耐えられ、取り扱いが容易であり、化粧缶等の高級感を醸すことができ、形状加工が容易で、底（天）部と外周面との組付けが外周面の端部でかしめて結合できる等の製造上の利点があるためである。
【０００３】
【発明が解決しようとする課題】
しかし、金属からなる缶容器が丈夫であるという反面、使用後において廃棄するときには、所定の形状を保ったままで処分せざるを得ず、廃棄するまでの保管場所の問題や、廃棄処理するときの嵩張りが問題となっていた。
【０００４】
本発明の目的は、金属の缶を畳むことにより、嵩張らず廃棄することができる缶容器を提供することにある。
【０００５】
【課題を解決するための手段】
本願請求項１に係る缶容器は、底面と外周面とが接続されてなる缶容器において、前記外周面は金属から構成され、前記底面は１００％金属以外の可撓性材質から構成され、前記底面の縁部には下向きに屈曲した突起部が形成され、該突起部は、該突起部を被包するように内側に巻き込んだ前記外周面の底面側端部にかしめて連結され、前記底面には所定形状の薄肉部または切り欠き部が形成されてなることを特徴とする。
【０００６】
【発明の実施の形態】
底面と外周面とが接続されてなる缶容器において、前記外周面は金属から構成され、前記底面は１００％金属以外の材質からなるので、底面をカッター等で切除して底面の部分を外周面から離脱させるのが容易であり、缶容器を廃棄するときに、底面の部分を取り、外周面（即ち胴の部分）を側面（面の上）から押しつぶすことにより、扁平化することができ、嵩張らすことなく折り畳んで、廃棄できる。
【０００７】
また底面が可撓性材質から構成され、底部の縁部が一方向には屈曲した突起部が形成され、該突起部を前記外周面の端部を巻き込んでかしめて連結すると、従来の金属の底面と同様なかしめにより底面を取り付けることができ、また可撓性材料で底面を形成すると、底面の切除がより容易になると共に、仮に底面を取り外さなくても、外周面（即ち胴の部分）を側面（面の上）から押しつぶすことにより、扁平化することができ、嵩張らすことなく折り畳んで、廃棄できる。
【０００８】
さらに底面に、所定形状をした薄肉部又は切り込み部が形成されていると、カッター等で底面を切除しなくても、薄肉部や切り込み部から底面に穴をあけて底面を取り外したり、薄肉部や切り込み部で底面を脆弱化させて取り外さなくても折り畳むことができる。
【０００９】
このように底（天）面の材質をかえて作ることによって、底（天）面を切り取る、または折り曲げることによって簡単に外周面（胴部分）を畳むことが出来る。
【００１０】
【実施例】
以下、本発明の一実施例を図面に基づいて説明する。なお、以下に説明する部材，配置等は本発明を限定するものでなく、本発明の趣旨の範囲内で種々改変することができるものである。
【００１１】
図１乃至図７は本発明に係るものであり、図１は缶容器の斜視図、図２は図１の断面説明図、図３は缶容器の折り畳みを説明する説明図である。図４は底面の他の例を説明する断面図、図５は底面の他の実施例を示す平面図、図６は筒型の缶容器を示す斜視図、図７は図６の断面図である。
【００１２】
図１において、本例の缶容器１は直方体をしたものであり、外周部（側面であり胴の部分である）２と、底面３と、から構成されており、上面は図示しない蓋体から構成されている。
【００１３】
側面（胴の部分）２は、長方形の金属製の板体を３カ所で折り曲げ部５で折り曲げて、合わせ目４の部分で接合する。本例ではシングルハゼ折りによって接合しているが、この合わせ目４の部分は、上記シングルハゼ折りの他に、溶接や、ダブルハゼ折り、その他の手段により摂動できればよい。
【００１４】
蓋体によって覆われる側面（胴部分）２の上下端部２ａは、内側或いは外側に折り曲げカールした形状や、内側或いは外側に折り曲げ潰した形状等各種の端部処理をしたものであってもよい。本例の端部２ａでは、図２で示すように内側に折り曲げしたカール状のものとしている。
【００１５】
本例の底（天）面３は、図４（Ａ）のように、両面凹凸がなく、底面３の外周縁部が一方側に屈曲した突起部３ａが形成されている。本例では図２で示すように、側面２と接合するときに下側となるように突起部３ａを形成している。底面３の材質は１００％金属以外のものとする。例えば紙、塩化ビニル樹脂その他の合成樹脂、合成樹脂と別の素材を積層した積層体等を用いることができる。この積層体の例としては、シート状の合成樹脂に別の素材シート、例えばアルミニウムシートを貼り合わせたものや、紙にビニールコーティングしたものなど各種の積層体を用いることができる。
【００１６】
また、底（天）面３は、上記のような両面凹凸がないものの他に、ミシン目のような所定形状の切り込みを入れて形成することもできる。例えば図４（Ｂ）及び（Ｄ）は、底面３の外周端部より内側へ所定距離の部分に、底面３を貫通してミシン目状の切り欠き部３ｂを入れたものであり、図４（Ｃ）は底面の厚さ方向の途中までの切り込み３ｃを入れた例を示すものである。なお両面凹凸があっても、上述のような、折り曲げや取り外しが容易にできるなような、ミシン目等が確実に形成されていればよい。
【００１７】
さらに底面３が紙や可撓性のある材質の場合には、圧力をかけて脆弱にした線のような部分を形成したり、底面３を部分的に薄くしたもの等を形成することができる。図５の（Ｂ）は正方形をした底面３の外周側にミシン目の切り込み部３ｂを入れた例を示し、（Ｃ）は底面の外周側に薄肉部３ｄを形成し、対角線になるようにミシン目の切り込み部３ｃを底面３の厚さ方向の途中まで形成した例を示すものである。
【００１８】
図５（Ａ）の場合にはカッター等で底面３を切り取り、側面２を折り畳み、図５（Ｂ）の場合には底面３を押圧してカッター等を使用せずに取り除き、図５（Ｃ）の場合には、薄肉部３ｄ及び切り込み部３ｃによれり容易に側面からの圧力で折り畳むことができる。これらの切り込み等の形や線の形は、底面を折り曲げたり、或いは除去できることができるならどんな形でも良い。
【００１９】
上記底面３と側面２との組付けは、底面３の突起部３ａを下側にして、外周面である側面２の端部２ｂを突起部３ａの内側へ巻き込んでかしめて連結する。換言すれば、突起部３ａを側面端部の折り曲げ部２ｂで包み込むように巻き込んでかしめて組み付けている。このかしめて組み付ける技術は従来の底面が金属のときと同様な組付け技術を用いることができる。
【００２０】
次に、上記構成からなる缶容器１の折り畳み方について説明すると、１００％金属以外からなるのでカッターで底面３を取り外したり、ミシン目や脆弱な部分が形成されている場合にはそのまま、側面（胴の部分）２から圧力をかける。例えば図３で示す例では、底面３を取り外して、側面２の折り曲げ部（角部）５を対角状にして、圧力をかけると、隣接する折り曲げ部５がより深く折り曲げられ、押圧した折り曲げ部５及び対向する折り曲げ部５が水平になり、極めて容易に折り畳むことができる。
【００２１】
なお、缶容器の側面形状は中空円筒体、中空直方体、中空楕円体、変形体等の上面視で四角・丸・楕円・変形など形は何でも良い。これに合わせて、底面は四角・丸・楕円・変形等が用いられる。
【００２２】
例えば、図６及び図７は中空円筒体を示すものである。このような円筒形のものであっても、底面３を取り外すと、側面２からの圧力により極めて容易に潰れて、扁平にすることが可能となる。なお本例では、図７で示すように、蓋体側の端部２ｃは外側にカールした状態を示すものである。
【００２３】
なお底面と側面との接合の際に、接合部に接着剤を用いて接合間を埋めるように接合すると、この接着剤がシール剤の役割を果たすことになり、内容物が液状のものであっても、液漏れをすることなく収容することができる。なお液状の内容物の場合には、上記した底面を貫通したミシン目の切り込みではなく、貫通しない切り込みや薄肉部によって対応することは、言うまでもない。
【００２４】
【発明の効果】
以上のように、本発明によれば、缶容器を捨てるときに、底（天）面を切り取ったり、底面を折り曲げることによって、簡単に胴部分を畳むことが出来る。これにより扁平化することができ、嵩張らすことなく折り畳むことができ、廃棄するまでの間のスペースを取らず、廃棄するときに嵩張らなく、運搬効率を良好にすることができる。
【００２５】
従って、使用済みから廃棄に至るまでの、スペース効率を図ることができるので、丈夫で直接の積み重ねに耐えられ、取り扱いが容易であり、化粧缶等の高級感を醸すことができ、形状加工が容易で、底（天）部と外周面との組付けが外周面の端部でかしめて結合できる等の製造上の利点を有する缶容器の有効利用が図れる。
【図面の簡単な説明】
【図１】本発明に係る缶容器の斜視図である。
【図２】図１の断面説明図である。
【図３】缶容器の折り畳みを説明する説明図である。
【図４】底面の他の例を説明する断面図である。
【図５】底面の他の実施例を示す平面図である。
【図６】筒型の缶容器を示す斜視図である。
【図７】図６の断面図である。
【符号の説明】
１  缶容器
２  側面
２ａ  端部
２ｂ  端部
２ｃ  端部
３  底（天）面
３ａ  突起部
３ｂ  貫通した切り込み部
３ｃ  切り込み部
３ｄ  薄肉部
４  合わせ目
５  折り曲げ部
【図１】
0003747952.tif 000002
【図２】
0003747952.tif 000003
【図３】
0003747952.tif 000004
【図４】
0003747952.tif 000005
【図５】
0003747952.tif 000006
【図６】
0003747952.tif 000007
【図７】
0003747952.tif 000008